(57)【要約】【課題】プロジェクターを置き換える場合において置き換え前のプロジェクターと置き換え後のプロジェクターの制御コマンドが同一でない場合、制御卓のプログラムもしくは置き換え後のプロジェクターのプログラムの変更が必要である。【解決手段】任意の制御コマンドを選択する操作部１２と、選択された制御コマンドに対応する制御卓４の制御コマンドと制御卓４の制御コマンドに対応する置き換え前のプロジェクター１の応答データとを入出力するインターフェース部９と、制御卓４の制御コマンドと前記応答データとを前記選択された制御コマンドに対応付けて記憶する記憶部１３と、を具備するプロジェクター。【選択図】図２
2010263278.tif 000002
【特許請求の範囲】
【請求項１】
任意の制御コマンドを選択する操作部と、
選択された制御コマンドに対応する制御卓の制御コマンドと当該制御卓の制御コマンドに対応する置き換え前のプロジェクターの応答データとを入出力するインターフェース部と、
前記制御卓の制御コマンドと前記応答データとを前記選択された制御コマンドに対応付けて記憶する記憶部と、
を具備することを特徴とするプロジェクター。
【請求項２】
制御卓の制御コマンドのうち任意の位置から任意の大きさにて切り出して記憶部に記憶する請求項１記載のプロジェクター。
【請求項３】
置き換え前のプロジェクターの応答データのうち任意の位置から任意の大きさにて切り出して記憶部に記憶する請求項１に記載のプロジェクター。
【発明の詳細な説明】
【技術分野】
【０００１】
本発明は、プロジェクターを置き換えるに際し置き換え後のプロジェクターに送信する制御コマンドおよび応答データを任意に変更することを可能とするプロジェクターに関する。
【背景技術】
【０００２】
従来、プロジェクターを周辺装置と連動して制御する時に、プロジェクターを外部から制御する機器（以下、制御卓）を同時に開発し、プロジェクターと制御卓を合わせて納入する場合がある。またプロジェクターの製品寿命は５年から１０年程度であり、制御卓の製品寿命より短い。
【０００３】
なお、参考技術については、ディスプレイ装置の初期化のための初期化情報をテーブルとしてメモリ内に保持し、このテーブルがディスプレイ装置と共に交換可能なコンピュータシステムが特許文献１に開示されている。
【先行技術文献】
【特許文献】
【０００４】
【特許文献１】特開平１１−２４６４３号公報
【発明の概要】
【発明が解決しようとする課題】
【０００５】
ところでプロジェクターを置き換える場合、既存の制御卓を継続して利用するために、置き換え前のプロジェクターと置き換え後のプロジェクターの制御コマンドが同一のものを選択するか、制御卓のプログラムを変更し、置き換え後のプロジェクターに対応させる必要があった。しかし、これでは、置き換えの際に対応するプロジェクターがなかったり、プログラムの変更に手間取るという課題が生じる。本発明は、上記課題に鑑み、簡単に置き換えを行うことができるプロジェクターを提供することを目的とする。
【課題を解決するための手段】
【０００６】
前記従来の課題を解決するため、本発明のプロジェクターは、任意の制御コマンドを選択する操作部と、選択された制御コマンドに対応する制御卓の制御コマンドと当該制御卓の制御コマンドに対応する置き換え前のプロジェクターの応答データとを入出力するインターフェース部と、前記制御卓の制御コマンドと前記応答データとを前記選択された制御コマンドに対応付けて記憶する記憶部と、を具備することを特徴とするものである。
【０００７】
これにより、プロジェクターの置き換えが可能となる。そして、置き換え後、制御卓からの制御コマンドに対応するプロジェクターの制御コマンドを記憶部に保存された対応関係から判断し、指定された制御コマンドを実施することができる。
【０００８】
なお、インターフェース部に入力される制御コマンドはＵＡＲＴ、ＵＳＢなど制御コマンドを送信できるものなら、いかなる送信手段でもよい。
【発明の効果】
【０００９】
置き換え前のプロジェクターの制御コマンドを事前に調査することなく、置き換え後のプロジェクターを接続し、置き換え前のプロジェクターに送信する制御コマンドを必要回数実行するのみで簡単に置き換えを行うことができる。
【図面の簡単な説明】
【００１０】
【図１】本発明における置き換え前のプロジェクターの構成を示すブロック図
【図２】本発明における置き換え実施時におけるプロジェクターの構成を示すブロック図
【図３】本発明における置き換え後のプロジェクターの構成を示すブロック図
【発明を実施するための形態】
【００１１】
（実施の形態１）
以下に、本発明の実施の形態について、処理の手順に従い図面を参照しながら説明する。
【００１２】
図１は、本発明における置き換え前のプロジェクターの構成を示すブロック図である。
置き換え前のプロジェクター１に制御卓４を接続する。制御卓操作部６より操作された情報は制御卓マイコン５にて制御コマンドを作成し、制御卓入出力インターフェース部７を介して置き換え前のプロジェクター１に制御コマンドが送信される。置き換え前のプロジェクター１は入出力インターフェース部２を介してマイコン３にて制御コマンドを実施する。マイコン３は制御コマンドに対応する応答データを作成し、入出力インターフェース部２を介して制御卓４に応答を返す。制御卓４は制御卓入出力インターフェース部７を介して制御卓マイコン５にて応答データを確認し、制御卓操作部６にＬＥＤ点灯などの処理を行う。
【００１３】
図２は、本発明における置き換え実施時のプロジェクターの構成を示すブロック図である。置き換え前のプロジェクター１と置き換え後のプロジェクター８を接続し、制御卓４と置き換え後のプロジェクター８を接続する。置き換え後のプロジェクター８の操作部１２にて割り当てる機能の選択、並びに制御コマンドの取得を指示されたマイコン１０は表示部１１に対して制御コマンドの取得待ちの表示を行う。作業者は制御卓４の制御卓操作部６を操作する。制御卓４の制御卓マイコン５は制御コマンドを作成し、制御卓入出力インターフェース部７を介して置き換え後のプロジェクター８に制御コマンドを送信する。置き換え後のプロジェクター８は入出力インターフェース部９を介してマイコン１０にて制御コマンドを受信する。マイコン１０は入出力インターフェース部９を介して置き換え前のプロジェクター１に制御卓４から受信した制御コマンドを送信すると共に表示部１１に受信した制御コマンドを表示する。置き換え前のプロジェクター１は入出力インターフェース部２を介してマイコン３にて制御コマンドを実施する。マイコン３は制御コマンドに対応する応答データを作成し、入出力インターフェース部２を介して置き換え後のプロジェクター８に応答を返す。置き換え後のプロジェクター８は入出力インターフェース部９を介して置き換え前のプロジェクター１から受信した応答データをマイコン１０にて受信する。マイコン１０は入出力インターフェース部９を介して制御卓４に応答データを送信すると共に表示部１１に受信した応答データを表示する。表示部１１に表示された制御コマンドと応答データを１組のデータとし、操作部１２からの操作によりマイコン１０は割り当てる機能と上記データの任意の部分を記憶部である不揮発性メモリー１３に保存する。上記処理を複数回実施する。
【００１４】
例えば、画面上(表示部１１)に、「PowerON」、「PowerOFF」、「入力切換(RGB)」、「入力切換(VIDEO)」等、置き換え後のプロジェクター８の制御コマンドの項目を表示し、リモコン等(操作部１２)にて項目を選択(例えば PowerON)する。その後に受信した制御卓４からの「制御コマンド」と置き換え前のプロジェクター１からの「応答データ」を選択した項目(PowerON)に対応付け、不揮発性メモリー１３に保存する。
【００１５】
ここで、「制御コマンド」として受信したデータが、例えば、[ 00 00 00 02 50 4F 4E 03 00 ] (１６進数で記載)の場合、[ 02 50 4F 4E 03 ]を「制御コマンド」として記憶させたり[ 50 4F 4E ] を「制御コマンド」として記憶させたり、受信したデータの中の任意の部分を切り出して記憶させることができる (同様に応答データからも任意の部分を切り出せる。)。
【００１６】
図３は、本発明における置き換え後のプロジェクターの構成を示すブロック図である。置き換え後のプロジェクター８に制御卓４を接続する。制御卓操作部６より操作された情報は制御卓マイコン５にて制御コマンドを作成し、制御卓入出力インターフェース部７を介して置き換え後のプロジェクター８に制御コマンドが送信される。置き換え後のプロジェクター８は入出力インターフェース部９を介してマイコン１０に入力される。マイコン１０は不揮発性メモリー１３に保存された複数組のデータと制御コマンドの比較を行い、一致する１組のデータを抽出する。抽出したデータに該当する機能を実施すると共に、制御コマンドに対応する応答データを入出力インターフェース部９を介して制御卓４に応答を返す。制御卓４は制御卓入出力インターフェース部７を介して制御卓マイコン５にて応答データを確認し、制御卓操作部６にＬＥＤ点灯などの処理を行う。
【産業上の利用可能性】
【００１７】
本発明にかかるプロジェクターは、制御コマンドの事前に調査ができないような環境においてプロジェクターを置き換える際に有用である。
【符号の説明】
【００１８】
１  置き換え前のプロジェクター
２  入出力インターフェース部
３  マイコン
４  制御卓
５  制御卓マイコン
６  制御卓操作部
７  制御卓入出力インターフェース部
８  置き換え後のプロジェクター
９  入出力インターフェース部
１０  マイコン
１１  表示部
１２  操作部
１３  不揮発性メモリー
【図１】
2010263278.tif 000003
【図２】
2010263278.tif 000004
【図３】
2010263278.tif 000005